(57)【要約】【課題】第１の面（表面）に記録した後に、第１に面（表面）と反対の第２の面（裏面）にも記録を行う場合にも、裏面印字のための用紙搬送時において、記録用紙への意図せざるインクの付着が発生したり、用紙の搬送精度を妨げてしまう等、記録品位を悪化させることがなく被記録媒体の両面へ記録することができるインクジェット記録装置の提供。【解決手段】画像情報に応じて被記録媒体に記録する手段と、前記記録手段に被記録媒体を搬送するための手段とを有し、前記搬送手段は被記録媒体を挟持して搬送する搬送ローラと前記搬送ローラを押圧する複数個のピンチローラとを有し、個々のピンチローラは前記被記録媒体を挟持する状態と狭持しない状態を選択する手段とを含んで画像形成装置を構成し、前記個々のピンチローラは記録媒体の幅に応じて被記録媒体の記録媒体幅方向端部を挟持しないようにする。【選択図】図１
2006193303.tif 000002
【特許請求の範囲】
【請求項１】
画像情報に応じて被記録媒体に記録する手段と、前記記録手段に被記録媒体を搬送するための手段とを有し、前記搬送手段は被記録媒体を挟持して搬送する搬送ローラと前記搬送ローラを押圧する複数個のピンチローラとを有し、個々のピンチローラは前記被記録媒体を挟持する状態と狭持しない状態を選択する手段とを備え、前記個々のピンチローラは記録媒体の幅に応じて被記録媒体の記録媒体幅方向端部を挟持しないよう構成したことを特徴とするインクジェット記録装置。
【請求項２】
前記個々のピンチローラは、前記被記録媒体を挟持する状態と狭持しない状態を選択する手段を有し、記録媒体への記録において第１の面を記録した後に、第１の面と反対の第２の面への記録を行う場合には、被記録媒体の記録媒体幅に応じて被記録媒体の記録媒体幅方向端部を挟持しないように、前記ピンチローラの搬送ローラへの押圧を解除することを特徴とする請求項１記載のインクジェット記録装置。
【請求項３】
第１の面と反対の第２の面への記録を行う記録媒体が定められた幅である場合には、前記ピンチローラは、予め前記定められた被記録媒体の記録幅方向両端部は挟持しないように配設されることを特徴とする請求項１記載のインクジェット記録装置。
【発明の詳細な説明】
【技術分野】
【０００１】
本発明は、被記録媒体の表裏両面に記録を行うためのインクジェット記録装置に関する。
【背景技術】
【０００２】
インクジェット記録装置等の記録装置において記録用紙へインクの吐出によって生じる用紙の膨潤（コックリング）を制御するための構成として、幾つかの方式のものが実施或は提案されている。それらは、搬送ローラと、搬送ローラと対向したピンチローラとで構成される搬送部において、ピンチローラの中心は、紙送りローラの中心に対して、下流側（排紙方向側）に近づく方向の若干のオフセットを持って取り付けられているので、被記録媒体としての記録用紙をプラテンへ押し付けつつ搬送する構成となっている。
【０００３】
又、プラテンは記録基準面を成すプラテンリブが用紙搬送方向に形成され、且つ、前記プラテン延長線上にピンチローラを配設した構成することで、記録された用紙の浮の浮き上がりを防止しつつ記録用紙を搬送して記録を行うものである（例えば、特許文献１参照）。本構成によれば、プラテンリブの延長線上には、搬送ローラと従動ローラとによるニップが位置しており、記録用紙はリブに押さえ付けられるように搬送され、これにより、記録用紙は、搬送方向に垂直な方向に波状に変形し、搬送方向に垂直な方向への膨潤による変形は、波打ち量の増大により吸収されることになる。
【０００４】
【特許文献１】特開２００１−０３１２８８号公報
【発明の開示】
【発明が解決しようとする課題】
【０００５】
しかしながら、上記従来例においては幾つかの制約があった。即ち、記録用紙の片面への記録においては紙ジャムやヘッド擦れが無く高品位に記録可能であっても、裏面（既記録面の反対面）への記録時の記録用紙状態は必ずしも同じではなく、最適な状態にならない場合がある。
【０００６】
用紙状態の違いは、特に普通紙等の比較的薄い厚さの記録用紙の場合に大きく、第１の面（表面）を印刷した際のインクによる用紙の膨潤によって生じる皺であったり、記録用紙への記録動作の結果、記録用紙が反ってしまうことによるものである。
【０００７】
しかし、前記構成によって記録用紙の両面に記録を行う場合には、表面記録した後に記録媒体を反転させると、表面印刷時に波打ち変形した凸部の上頂点が、反転後には凹部の下頂点となってプラテンリブと相対峙することとなる。裏面印刷の場合は、このような状態のまま搬送ローラで用紙をプラテンへ強く押し付けることになり、用紙先端はこの当接部を基準として表面印刷時に生じた波打ち量の分だけ浮き易くなってしまうという問題がある。
【０００８】
このようなインクジェット方式による両面印字の場合は、表面インクが乾いてから裏面を印字する必要があるが、その場合、表面印字によって生じた波打ちや皺等の癖を残しまま乾燥すると共に、乾燥中に特に用紙端部がカールしてしまうことがある。このようなインク付着乾燥後の用紙の癖は未印刷時と比較して非常に腰が強くなっていることから、前記構成によるプラテンへの押し付けが強過ぎると、プラテンと用紙との当接面を起点として裏面印刷時に用紙先端角部が著しく浮き上がってしまう。
【０００９】
これにより、例えば記録部と記録用紙の距離が比較的狭く設定されている場合には、記録用紙の反りにより、記録部と記録用紙の接触による意図せざる記録用紙へのインク付着が発生したりする場合があった。
【００１０】
又、別の例では、記録用紙を排出する目的で、排紙ローラと、排紙ローラに対向して配設された拍車が配設され、前記拍車を保持するための部材（拍車ベース）を持つ記録装置においては、前記記録用紙の膨潤による波打ち皺やカール（反り）に起因する用紙先端角部の浮きによって、排紙ローラと拍車とのニップに記録用紙が進入せずに、上部の拍車ベース側へ進入してしまい、紙ジャム等を引き起こしてしまう場合がある。
【００１１】
本発明は上記のような技術的課題を解決しようとするものである。従って、本発明の目的は、被記録媒体としての記録用紙において、第１の面（表面）に記録した後に、第１に面（表面）と反対の第２の面（裏面）にも記録を行う場合にも、裏面印字のための用紙搬送時において、記録用紙への意図せざるインクの付着が発生したり、用紙の搬送精度を妨げてしまう等、記録品位を悪化させることがなく被記録媒体の両面へ記録することができるインクジェット記録装置を提供することである。
【課題を解決するための手段】
【００１２】
上記目的を達成するため、本発明は、画像情報に応じて被記録媒体に記録する手段と、前記記録手段に被記録媒体を搬送するための手段とを有し、前記搬送手段は被記録媒体を挟持して搬送する搬送ローラと前記搬送ローラを押圧する複数個のピンチローラとを有し、個々のピンチローラは前記被記録媒体を挟持する状態と狭持しない状態を選択する手段とを含んで画像形成装置を構成し、前記個々のピンチローラは記録媒体の幅に応じて被記録媒体の記録媒体幅方向端部を挟持しないようにしたことを特徴とする。
【発明の効果】
【００１３】
本発明に係るインクジェット記録装置によれば、被記録媒体への表面記録後、直ちに裏面へ記録を行う場合に、表面記録によって膨潤した被記録媒体においても、記録用紙への意図せざるインクの付着が発生したり、用紙の搬送精度を妨げてしまう等、記録品位を悪化させることなく記録動作を行うことができる。
【発明を実施するための最良の形態】
【００１４】
以下、図面を参照して本発明の実施の形態を具体的に説明する。尚、各図を通して同一符号は同一又は対応部分を示すものである。
【００１５】
図１は本発明を適用した記録装置の一実施形態の全体構成を示す模式的斜視図であり、図２は図１中の矢印Ａ方向から見て記録装置の全体構成を示す模式的側断面図である。尚、図１及び図２は記録装置がインクを吐出して被記録媒体に記録を行うインクジェット記録装置である場合を示す。
【００１６】
又、被記録媒体としては、紙、プラスチックシート、布、金属シート、或は板状部材等、種々の材質のものを使用することができる。但し、以下の説明では、被記録媒体の代表例が記録用紙であることから、広義の被記録媒体を用いるべきところを記録用紙又は用紙と称することがあるが、これは、被記録媒体の範囲を記録用紙又は用紙に限定するものではない。
【００１７】
図１及び図２において、１は記録ユニット本体（記録装置本体）、１０は記録ユニット本体１の構造を支えるシャーシ、１１はインクを吐出して記録を行う記録手段としての記録ヘッド、１２は記録ヘッド１１へ供給するインクを蓄えるインクタンク、１３は記録ヘッド１１及びインクタンク１２を保持して走査（主走査）するためのキャリッジ、１４はキャリッジ１３を案内支持するガイドシャフト、１５はガイドシャフト１４と平行にキャリッジ１３を案内支持するガイドレール、１６はキャリッジ１３を駆動するためのキャリッジベルト（タイミングベルト）、１７はプーリを介してキャリッジベルト１６を駆動するキャリッジモータ、１８はキャリッジ１３の位置を検出するためのコードストリップ、２０はキャリッジモータ１７のプーリと対向してキャリッジベルト１６を張架するアイドラプーリである。
【００１８】
図１及び図２において、２１は被記録媒体（記録用紙）４を紙送り（搬送）するための紙送りローラ（搬送ローラ）、２２は紙送りローラ２１に押圧されて従動するピンチローラ、２３はピンチローラ２２を回転可能に保持するピンチローラホルダ、２４はピンチローラ２２を紙送りローラ２１に圧接するピンチローラばね、２５は紙送りローラ２１に固定された紙送りローラプーリ、２６は紙送りローラ２１を駆動するためのＬＦモータ（搬送モータ）、２７は紙送りローラ２１の回転角度を検出するためのコードホイール、２９は記録ヘッド１１に対向して記録用紙４を支えるプラテンである。
【００１９】
３０は紙送りローラ２１と協働して記録用紙４を搬送するための第１排紙ローラ、３１は第１排紙ローラ３０の下流側に設けられた第２排紙ローラ、３２は第１排紙ローラ３０に対向して被記録媒体を保持する回転体としての第１拍車列、３３は第２排紙ローラ３１と対向して被記録媒体を保持する回転体としての第２拍車列、３４は第１拍車列３２と第２拍車列３３を回転可能に保持する拍車ベース、３６は記録ヘッド１１の目詰まり（吐出口やノズルの目詰まり）を防止してインク吐出性能を維持回復したり、インクタンク１２を交換する時に記録ヘッドのインク流路にインクを行き渡らせたりする際に作動させるメインテナンスユニット、３７は被記録媒体を積載し記録動作時に１枚ずつ記録部へ供給する自動給紙部としてのメインＡＳＦ（Automatic Sheet Feeder) である。
【００２０】
図１及び図２において、３８はメインＡＳＦ３７の土台となるＡＳＦベース、３９は積載された被記録媒体（被記録用紙）に当接し該被記録媒体を送り出すための給紙ローラ、４０は複数枚の記録用紙が同時に搬送された時に１枚ずつに分離する分離ローラ、４１は記録用紙を積載し給紙ローラ３９へ向けて付勢するための圧板、４２は圧板４１上に設けられ記録用紙の幅方向の任意の位置で固定可能なサイドガイド、４３は給紙動作時に給紙ローラ３９と分離ローラ４０のニップ部より先に進んでしまった記録用紙（被記録媒体）の先端を所定位置まで戻すための戻し爪、４４はメインＡＳＦ３７からの被記録媒体通紙方向を１方向に規制するＡＳＦフラップである。
【００２１】
５０はＡＳＦ遊星ギア４９と契合するリフト入力ギア、５１はリフト入力ギア５０からの動力を減速しつつ伝達するリフト減速ギア列、５２はリフトカム軸に直結したリフトカムギア、５５はガイドシャフト１４を片寄せに付勢するためのガイドシャフトばね、５６はガイドシャフトギア５３のカムが摺動するガイド斜面、５８はピンチローラホルダ２３等をリフトさせるリフトカム軸、７０は被記録媒体の先端を紙送りローラ２１とピンチローラ２２のニップ部へガイドするための通紙ガイド、７２は記録ユニット本体１の全体を支持するベース、３０１は制御部をまとめる制御基板である。
【００２２】
図１０は本発明を適用した記録装置全体を駆動する駆動手段を表すブロック図である。図１０において、１９はキャリッジ１３に搭載されコードストリップ１８を読み取るＣＲ（キャリッジ）エンコーダセンサ、２８はシャーシ１に取り付けられたコードホイール２７を読み取るＬＦエンコーダセンサ、４６はメインＡＳＦ３７を駆動するＡＳＦモータ、６７はＰＥセンサレバー６６の動作を検知するＰＥ（ペーパーエンド）センサ、６９はリフトカム軸５８の動作を検知するリフトカムセンサである。
【００２３】
図１０において、３０２はメインテナンスユニット３６を駆動するＰＧモータ、３０３はメインテナンスユニット３６の動作を検知するＰＧセンサ、３０５はメインＡＳＦ３７の動作を検知するＡＳＦセンサ、３０７は記録ヘッド１１を駆動するヘッドドライバ、３０８は記録データを本記録装置に送るホスト装置、３０９はホスト装置３０８と本記録装置を電気的に接続して仲立ちをするＩ／Ｆ（インターフェース）、３１０は本記録装置の制御を司り制御指令を出すＣＰＵ、３１１は制御データなどが書き込まれたＲＯＭ、３１２は記録データ等を展開する領域となるＲＡＭである。
【００２４】
ここで、図１、図２及び図１０を参照して、本発明に係る記録装置の概略を説明し、その後に各部の動作について説明する。先ず、一般的なシリアル走査型の記録装置の構成について説明する。尚、本実施の形態においては、被記録媒体の第１の面（表面）に記録を行う場合の概略の説明をするものでもある。
【００２５】
本実施の形態に係る記録装置は、大きく分けて、給紙部、被記録媒体搬送部（用紙搬送部）、記録部、記録手段（記録ヘッド）メインテナンス部から構成されている。ホスト装置３０８から記録データが送られ、インターフェース（Ｉ／Ｆ）３０９を介してＲＡＭ３１２上にデータを格納すると、ＣＰＵ３１０が記録動作開始指令を出して記録動作が開始する。
【００２６】
記録が開始すると、先ず給紙動作が行われる。給紙部はメインＡＳＦ（Automatic Sheet Feeder) であり、この給紙部は、圧板４１上に複数枚積載された被記録媒体（被記録用紙）から記録動作ごとに１枚ずつの記録用紙を引き出して被記録媒体搬送部（用紙搬送部）に送る自動給紙部で構成されている。給紙動作開始でＡＳＦモータ４６が正方向に回転し、その動力はギア列を経て圧板４１を保持しているカムを回転させる。ＡＳＦモータ４６の回転によってカムが外れると、圧板４１は不図示の圧板ばねの作用により給紙ローラ３９に向けて付勢される。同時に、給紙ローラ３９が被記録媒体（用紙）を搬送する方向に回転するため、積載された被記録媒体の一番上の１枚の搬送が開始される。その際、給紙ローラ３９と記録用紙４との間の摩擦力、並びに記録用紙同士の摩擦力の条件により、複数枚の記録用紙が同時に送り出されてしまうことがある。
【００２７】
その場合には、給紙ローラ３９に圧接され且つ記録用紙搬送方向と逆方向に所定の戻り回転トルクを有する分離ローラ４０が作用し、この分離ローラ４０は最も給紙ローラ３９側にある記録用紙以外の記録用紙を元の圧板上へ押し戻す働きをする。又、ＡＳＦ給紙動作終了時には、カムの動作により分離ローラ４０は、給紙ローラ３９との圧接状態から解除され、所定の距離離間されるが、その際に確実に圧板上の所定位置まで記録用紙を押し戻すために、戻し爪４３が回転してその役割を果たす。以上のような動作により、記録用紙を１枚だけ用紙搬送部へ搬送する。
【００２８】
尚、メインＡＳＦ３７から１枚の記録用紙が搬送されていくとき、記録用紙の先端は、ＡＳＦフラップばねで通紙経路を妨げる方向に付勢されているＡＳＦフラップ４４に当接するが、ＡＳＦフラップ４４を押し退けて通過する。記録用紙の記録動作が終了し、記録用紙後端がＡＳＦフラップ４４を通過すると、ＡＳＦフラップ４４は元の付勢状態に戻って通紙経路が閉ざされるので、記録用紙が逆方向に搬送されてもメインＡＳＦ３７側に戻ることはない。
【００２９】
給紙部から搬送された被記録媒体としての記録用紙４は、用紙搬送部（被記録媒体搬送部）たる紙送りローラ（搬送ローラ）２１とピンチローラ２２のニップ部に向けて搬送される。ピンチローラ２２の中心は、紙送りローラ２１の中心に対して、第１排紙ローラ３０に近づく方向の若干のオフセットを持って取り付けられているので、記録用紙が挿入される接線方向角度は水平より若干傾いている。よって、用紙先端が的確にニップ部にガイドされるように、ピンチローラホルダ２３とガイド部材（通紙ガイド）７０により形成される通紙経路で角度を付けて用紙を搬送するようにしている。
【００３０】
ＡＳＦ３７によって搬送（送給、給紙）される用紙（記録用紙）は、停止状態の紙送りローラ２１のニップ部に突き当てられる。このとき、所定の通紙経路長よりもやや長い距離分をメインＡＳＦ３７で搬送することにより、給紙ローラ３９と紙送りローラ２１の間で用紙のループが形成される。このループが真っ直ぐに戻ろうとする力で用紙先端が紙送りローラ２１のニップ部に押圧されることにより、用紙先端が紙送りローラ２１に倣って平行になり、いわゆるレジストレーション取り動作が完了する。レジストレーション取り動作が完了した後、記録用紙が正方向（第１排紙ローラ３０に向けて進行していく方向）に移動する方向にＬＦモータ（搬送モータ）２６の回転（正方向の回転）を開始する。
【００３１】
その後、給紙ローラ３９は駆動力を切断され、記録用紙と連れ回りするようになる。この時点で、記録用紙は紙送りローラ２１とピンチローラ２２のみで搬送されるようになる。記録用紙は所定改行量毎に正方向に前進し、プラテン２９に設けられたリブに沿って進行する。
【００３２】
用紙先端は漸次第１排紙ローラ３０及び第１拍車列３２のニップ部と、第２排紙ローラ３１及び第１拍車列３３のニップ部に掛かるが、第１排紙ローラ３０と第２排紙ローラ３１の周速は紙送りローラ２１の周速とほぼ等しく設定され、且つ、紙送りローラ２１から第１排紙ローラ３０及び第２排紙ローラ３１はギア列で接続されているので、第１排紙ローラ３０及び第２排紙ローラ３１は、紙送りローラ２１と同期して回転することになり、そのため、記録用紙４は弛んだり引っ張られたりすることなく搬送される。
【００３３】
記録部は、主に記録手段としての記録ヘッド１１と、記録ヘッド１１を搭載して記録用紙搬送方向と交叉（通常直交）する方向に走査（移動）するキャリッジ１３とから成る。キャリッジ１３は、シャーシ１０に固定されたガイドシャフト１４とシャーシ１０の一部であるガイドレール１５とによって案内支持され、キャリッジモータ１７とアイドラプーリ２０との間に張架されたキャリッジベルト１６を介してキャリッジモータ１７の駆動力を伝達することにより、往復移動（走査）される。
【００３４】
記録ヘッド１１にはインクタンク１２に接続される複数のインク流路が形成されており、インク流路はプラテン２９と対向する面（吐出口面）に配された吐出口まで連通している。吐出口列を形成する複数の吐出口のそれぞれの内部にはインク吐出用のアクチュエータ（エネルギー発生手段）が配されている。このアクチュエータとしては、例えば、電気熱変換体（発熱素子）による液体の膜沸騰圧力を利用したものや、ピエゾ素子等の電気機械変換体（電気−圧力変換素子）等が用いられる。
【００３５】
記録装置として上記のような記録ヘッド１１を用いるインクジェット記録装置においては、記録ヘッド１１に、フレキシブルフラットケーブル７３を介してヘッドドライバ３０７の信号を伝達することで、記録データに応じてインク滴を吐出することが可能である。又、シャーシ１０に張架されたコードストリップ１８をキャリッジ１３に搭載されたＣＲ（キャリッジ）エンコーダ１９によって読み取ることで、適切なタイミングで被記録用紙に向けてインク滴を吐出することができる。このようにして、１ライン分の記録が終了すると、前記用紙搬送部（被記録媒体搬送部）により必要量だけ記録用紙を搬送（紙送り）する。この動作を繰り返して実施することにより、記録用紙全面に渡る記録動作が可能となる。
【００３６】
記録ヘッドメインテナンス部（メインテナンスユニット）３６は、記録手段としての記録ヘッド１１の吐出口の目詰まりを防止したり、記録ヘッド１１の吐出口面の紙粉等による汚れを解消したりすることで、記録ヘッド１１の記録動作を正常状態に維持回復するためのものである。
【００３７】
又、前記記録ヘッドメインテナンス部３６は、インクタンク１２を交換する際のインク吸引用としての役割も担っている。そのため、キャリッジ１３のホームポジション（待機ポジション）で記録ヘッド１１と対向するように設置されているメインテナンスユニット３６は、例えば、記録ヘッド１１の吐出口面（吐出口が配列された面）に当接して吐出口を保護するキャップを備えたキャッピング機構、吐出口をキャッピングしたキャップ内に負圧を発生させて吐出口からインクを吸引排出させる吸引回復機構、吐出口の周辺部を拭き取り清掃するワイピング機構等で構成されている。
【００３８】
即ち、記録ヘッド１１の吐出口内のインクをリフレッシュすべくインクを吸い出す際には、キャップを吐出口面に押圧し、吸引ポンプを駆動してキャップ内を負圧とすることでインクを吸引排出する。又、インク吸引後に吐出口面にインクが付着している場合や、吐出口面に紙粉等の異物が付着した場合にそれらを取り除くために、ワイパーを吐出口面に当接させ平行に移動させることにより吐出口面をワイピング（拭き取り清掃）して付着物を除去する。以上が記録装置の概略である。
【００３９】
次に、本実施の形態の特徴的な構成である、ピンチローラ２２のリリース機構、ピンチローラばね２４の圧力調整機構に関して説明する。図３はピンチローラリリース機構、ピンチローラばね圧力調整機構の概略構成を示す模式的斜視図である。
【００４０】
図３において、５９はピンチローラホルダ２３に当接するピンチローラホルダ押圧カム、６０はピンチローラばね２４の作用点となるピンチローラばね押圧カム、６２はリフトカム軸５８の角度を示すリフトカム軸遮蔽板である。ピンチローラリリース機構、ピンチローラばね圧力調整機構は、リフトカム軸５８の回転によって作動する。本実施の形態の機構では、リフトカム軸５８には、ピンチローラホルダ押圧カム５９、ピンチローラばね押圧カム６０がそれぞれ固定されているので、リフトカム軸５８の１回転に同期してそれぞれのカムが動作するように構成されている。ここで、リフトカム軸５８の初期角度及び１回転は、リフトカム軸遮蔽板６２がリフトカムセンサ６９を遮蔽又は透過することにより認識される。尚、本発明の趣旨はこのような構成に拘束されるものではなく、必要に応じてそれぞれを独立に駆動する機構を採用しても良い。
【００４１】
図４はピンチローラリリース機構及びピンチローラばね圧力調整機構の動作を模式的に示す部分側面図である。図４（ａ）は、ピンチローラホルダ押圧カム５９が初期位置にあり、ピンチローラ２２が紙送りローラ２１に圧接する状態であり、ピンチローラばね２４の圧力が標準状態にある場合を示す。ピンチローラホルダ２３は、そのピンチローラホルダ軸２３ａでシャーシ１０の軸受部により回転自在に支持されており、所定角度範囲に亘って揺動可能に構成されている。ピンチローラホルダ２３の一端にはピンチローラ２２が回転可能に支持されており、他端にはピンチローラホルダ押圧カム５９と当接する領域が設けられている。
【００４２】
図４（ａ）において、ピンチローラばね２４は、一端をピンチローラホルダ２３のピンチローラ２２側に力点として当接させられ、他端をピンチローラばね押圧カム６０で支持され、ばね中間部をシャーシ１０の支持部により支持された捩じりコイルばねである。このような支持形態により、所定圧力でピンチローラ２２が紙送りローラ２１に圧接されている。この状態で紙送りローラ２１の回転駆動機構を動作させれば、紙送りローラ２１とピンチローラ２２のニップ部に挟持された記録用紙を搬送することができる。
【００４３】
図４（ｂ）は、ピンチローラ２２がリリース（離間）した状態にあり、且つ、ピンチローラばね２４が抜重状態である場合を示す。即ち、リフトカム軸５８が図４中の矢印ａ方向に回転することにより、ピンチローラホルダ押圧カム５９がピンチローラホルダ２３に当接し、ピンチローラホルダ２３が徐々に図４中の矢印ｂ方向に回動され、ピンチローラ２２は紙送りローラ２１からリリース（離間又は離隔）されている。
【００４４】
又、図４（ｂ）の状態では、ピンチローラばね押圧カム６０はピンチローラばね２４との当接面が小半径部となり、ピンチローラばね２４の捩じり角度θ２は図４（ａ）のときの角度θ１より開いている（大きくなっている）ため、ばね加重が低減し、ピンチローラホルダ２３には殆ど加重が掛かっていない状態になっている。これにより、ピンチローラホルダ２３には殆ど応力が掛からない状態となる。
【００４５】
又、ピンチローラホルダ押圧カム５９がピンチローラと当接するタイミング、即ち、ピンチローラ２２がリリースされるタイミングは、ピンチローラ位置が記録装置における紙基準面から遠くなるに従って早くなりように構成されている。従って、リフトカム軸５８が図４中の矢印ａ方向に回転することにより、ピンチローラホルダ２３が非基準側から順々に図４中の矢印ｂ方向に回動されて、搬送ローラから２１からリリースされる。このため、リフトカム軸５８の回転が停止する位置によって紙送りローラ２１とピンチローラ２２のニップ部が形成される範囲が決定する。
【００４６】
以上の状態を経て、リフトカム軸５８を１回転させると、ピンチローラリリース機構及びピンチローラばね圧力調整機構は、図４（ａ）の状態に戻り、標準状態となる。以上が、ピンチローラリリース機構、ピンチローラばね圧力調整機構の詳細な説明である。
【００４７】
次に、リフトカム軸５８の駆動機構について説明する。
【００４８】
図５はリフトカム軸の駆動機構を示す模式的斜視図である。本実施の形態においては、リフトカム軸５８の駆動源は、メインＡＳＦ３７を駆動するＡＳＦモータ４６によっている。ＡＳＦモータ４６の回転方向及び回転量の制御により、適宜メインＡＳＦ（自動給紙部）３７を動作させたり、リフトカム軸５８を動作させたりしている。
【００４９】
図５において、４６は駆動源たるＡＳＦモータ（ギア類を示すために上半分を切り取って表示）、４７はＡＳＦモータ４６に取り付けられたギアの次段に位置するＡＳＦ振り子アーム、４８はＡＳＦ振り子アーム４７の中心に取り付けられたＡＳＦ太陽ギア、４９はＡＳＦ振り子アーム４７の端部に取り付けられてＡＳＦ太陽ギア４８と契合するＡＳＦ遊星ギア、６３はリフトカム軸５８に固定された振り子ロックカム、６４は振り子ロックカム６３に作用して揺動する振り子ロックレバーである。
【００５０】
前述のように、ＡＳＦモータ４６の回転方向により駆動力伝達方向が決定されるが、リフトカム軸５８を動作させる目的の場合には、ＡＳＦモータ４６を図５中の矢印ａ方向に回転させる。すると、ＡＳＦモータ４６に取り付けられたギアがＡＳＦ太陽ギア４８を回転させる。ＡＳＦ太陽ギア４８とＡＳＦ振り子アーム４７は、所定の摩擦力をもって回転可能に契合されているので、ＡＳＦ太陽ギア４８の回転方向（図５中の矢印ｂ方向）にＡＳＦ振り子アーム４７が振れる。すると、ＡＳＦ遊星ギア４９が次段のリフト入力ギア５０と契合する。これにより、ＡＳＦモータ４６の駆動力が、リフト減速ギア列５１を介してリフトカムギア５２まで伝達される。尚、このときはＡＳＦ振り子アーム４７が図５中の矢印ｂ方向に振れていることにより、自動給紙部としてのメインＡＳＦ３７を駆動するギア列への駆動力は切断された状態になっている。
【００５１】
逆に、自動給紙部としてのメインＡＳＦ３７を駆動する場合には、ＡＳＦモータ４６を図５中の矢印ａと反対方向に回転させることにより、前記とは逆にＡＳＦ振り子アーム４７が図５中の矢印ｂと反対方向に振れる。これにより、ＡＳＦ遊星ギア４９とリフト入力ギア５０との契合が解除され、ＡＳＦ振り子アーム４７に設けられたもう１つのＡＳＦ遊星ギア４９がメインＡＳＦ３７側のギア列と契合して、メインＡＳＦ３７が駆動される。  尚、本実施の形態においては、ＡＳＦモータ４６としていわゆるステッピングモータを使用し、これをオープンループで制御している。又、ＤＣモータ等にエンコーダを使用してクローズドループ制御としても良いことは言うまでもない。
【００５２】
以上説明したリフトカム軸５８の駆動機構により、ピンチローラ２２のリリース、ピンチローラばね２４の圧力調整が可能となる。尚、以下では、前記可動機構を総称してリフト機構と称する。
【００５３】
図６はリフト機構の動作状態を示すタイミングチャートである。図３〜図５で説明した内容を更に分かり易くするために、図６のタイミングチャートを用いて再度説明する。図６の横軸はリフトカム軸５８の角度を３６０度の範囲で示しており、縦軸にそれぞれの機構要素とそのポジションを示している。
【００５４】
図６において、リフトカム軸５８を動作させることによって、リフトカム軸５８の角度をリフトカムセンサ６９（図３）で検知し、ＡＳＦモータ４６（図１０）の回転角度を制御することだけで、複数のピンチローラを順々に離間作動させることができる。
【００５５】
以上がリフト機構の動作の説明である。
【００５６】
次に、既に第１の面にインクジェット方式によって記録されている被記録媒体としての記録用紙において、第１の面と反対の面（裏面）に記録を実施する場合について説明する。
【００５７】
本実施の形態において、ピンチローラ２２は図７のように配設されている。即ち、用紙基準側のピンチローラ２２は、予め用紙基準側端部を狭持しないように、若干用紙内部に配設されている。又、同形状のピンチローラ２２が略等間隔に８個配置され、各２個で一組（２２（ａ）〜（ｃ）を成して、その各対の略中央部をピンチローラバネ２４で付勢されている。又、図７においては、各ピンチローラ２２のエッジ部の用紙基準面Ｌ０よりの距離がＬ１〜Ｌ１６にて記してある。
【００５８】
先ず、本記録装置における両面記録を選択すると、前述の方法により、被記録媒体の第１の面（表面）に印刷並びに排紙動作が行われ、第１の面への記録が終了する。続いて、ユーザーが前記第１の面に記録された用紙（媒体）を任意反転させた後、第２の面（裏面）を記録面側へと向けて給紙積載部へのセットが行われる。尚、本実施の形態においては、ユーザー自らが反転させて再びセットする、いわゆる手動両面印刷によるが、本発明の趣旨はこのような方法に限定されるものではなく、記録装置に付随して用紙反転部を備え、表面の記録後、自動で記録用紙を反転させる構成を持つものであっても良い。
【００５９】
このように記録用紙が任意反転された後、第１の面と同様に、ホスト装置３０８から記録データが送られ、インターフェース（Ｉ／Ｆ）３０９を介してＲＡＭ３１２上にデータを格納すると、ＣＰＵ３１０が記録動作開始指令を出して記録動作が開始する。
【００６０】
裏面への記録動作が開始すると、ユーザーが指定した被記録媒体のサイズＷに応じて紙送りローラ２１とピンチローラ２２との挟持範囲が決定される。この挟持部は、被記録媒体の幅方向端部を侠持することのないように、リリースされるピンチローラ２２が選択される。即ち、狭持範囲は図８のような記録サイズＷごとに予め決められている。従って、図８から、用紙幅ＷがＬ５＜Ｗ＜Ｌ６、Ｌ７＜Ｗ＜Ｌ８の場合はピンチローラバネ２４−ｂ，ｃ，ｄの３つが、Ｌ９＜Ｗ＜Ｌ１０、Ｌ１１＜Ｗ＜Ｌ１２の場合はピンチローラバネ２４−ｃ，ｄの２つが、Ｌ１３＜Ｗ＜Ｌ１４、Ｌ１５＜Ｗ＜Ｌ１６の場合はピンチローラバネ２４−ｄの１つがリリースされることが選択されることになる。
【００６１】
例えば、用紙幅Ｌ１５＜Ｗ１＜Ｌ１６の用紙に印字する場合は、紙送りローラ２１との狭持部は図８からピンチローラ２２（ａ），（ｂ），（ｃ）で挟持するために、図６よりリフトカム軸５８がポジション２であることが判断される。続いて前述ＡＳＦモータ４６が逆方向に回転し、前述のリフトカムポジション２までの回転量だけリフトカム軸５８が回転することで、Ｗ１幅の記録媒体を搬送するための紙送りローラ２１とピンチローラ２２との挟持部が形成され、図９のようにピンチローラ２２−１〜６において搬送が開始される。
【００６２】
リフトカム軸５８の回転が完了し当該搬送用紙のサイズに該当する範囲における紙送りローラ２１との挟持部が構成されると、次にＡＳＦ３７による給紙動作が行われる。この給紙動作開始ではＡＳＦモータ４６が正方向に回転して、前述の反転後に積載された被記録媒体の一番上の１枚の搬送が開始され、前述した第１の面と同様の記録が順次行われていく。
【００６３】
尚、図８の表にない範囲の大きさの記録用紙の場合には、その記録用紙端部がピンチローラ２２とピンチローラ２２の間になることを意味する。従って、用紙幅方向端部は元々挟持されず、従って、プラテン２９にも強く押し付けられることがないことから、何れのピンチローラ２２もリリースすることがなくても印字することが可能ある。
【００６４】
尚、両面記録の頻度の高い用紙サイズにおいては、予めピンチローラ２２のエッジ位置を鑑みて配設することで、ピンチローラ２２をリリースすること無く、ピンチローラ２２と紙送りローラ２１とで用紙幅方向端部を狭持せずに搬送を行うが可能である。たとえば、使用頻度の高い薄い紙とは、いわゆる定型サイズ（たとえば、Ａ３〜Ａ5 、Ｂ4 〜Ｂ６やLetter等の用紙サイズ）の場合が多く、このように、ある定められたサイズにおいては用紙端部がピンチローラ２２とピンチローラ２２の間で搬送されるような配置とすることでも、同様の効果が得られ、かつ、印刷開始から印刷終了までの時間も短くすることが可能である。
【００６５】
以上のような本構成によれば、被記録媒体がいかなるサイズであっても、被記録媒体端部は侠持することを避けつつ、記録用紙裏面を印字搬送することができる。これにより差第一の面（表面）に印刷済みの用紙を反転させて裏面へ印刷する場合には、用紙端部付近は紙送りローラ２１とピンチローラ２２とで挟持搬送されていないために、用紙端部のプラテン２９に対する強い押し付け力は発生しない。従って、表面記録で生じるインク付着乾燥後の用紙の癖と、前記構成によって発生するプラテン２９への押し付けによって生じる裏面印刷時の用紙先端角部の浮きを抑制しつつ、比較的安定してプラテン２９に沿わせて用紙を搬送することが可能となる。
【００６６】
以上により、第１の面（表面）への記録のされた用紙において、第１の面と反対の面（裏面）への印字においても、表面同様に用紙の浮き上がりがなく、安定した搬送を行うことができてヘッド擦れや紙ジャの影響のない記録が可能となる。
【００６７】
又、先に述べたように、用紙基準側のピンチローラは、予め用紙基準側端部を挟持しないように、若干用紙内部に配設されている。従って、如何なるサイズの用紙が給紙された場合にも、基準側のピンチローラは上記リリースを行わなくても良い構成となっている。
【００６８】
又、本発明の趣旨はこのような構成に拘束されるものではなく、必要に応じてそれぞれを独立に駆動する機構を採用しても良い。  
又、本実施の形態においては、ピンチローラ２２として、２個１組の構成としてその略中央部にピンチローラバネを配設し、これを４組使用する構成としているが、このようにな構成に拘束されるものではなく、必要に応じて配置されても良いことは言うまでもない。
【図面の簡単な説明】
【００６９】
【図１】本発明に係るインクジェット記録装置の全体構成を示す模式的斜視図である。
【図２】本発明に係るインクジェット記録装置の全体構成を示す模式的側断面図である。
【図３】本発明に係るインクジェット記録装置のピンチローラ圧接離間機構を示す模式的斜視図である。
【図４】本発明に係るインクジェット記録装置のピンチローラ圧接離間機構を示す模式的側断面図である。
【図５】本発明に係るインクジェット記録装置のリフトカム軸の駆動機構を示す模式的斜視図である。
【図６】本発明に係るインクジェット記録装置のリフト機構の動作状態を示すタイミングチャートである。
【図７】本発明に係るインクジェット記録装置のピンチローラの配設と用紙基準面との位置関係を示す模式的上面図である。
【図８】本発明に係るインクジェット記録装置の用紙幅に応じてリリースするピンチローラの選択を示す表である。
【図９】本発明に係るインクジェット記録装置の用紙幅に応じてピンチローラをリリースした用紙搬送を示す表である。
【図１０】本発明に係る両面記録装置の制御回路構成を示す模式的ブロック図である。
【符号の説明】
【００７０】
１        記録装置本体（記録ユニット本体）
４        被記録媒体（記録用紙）
１０      シャーシ
１１      記録部（記録手段、記録ヘッド）
１２      インクタンク
１３      キャリッジ
１４      ガイドシャフト
１５      ガイドレール
１６      キャリッジベルト
１７      キャリッジモータ
２１      紙送りローラ（ＬＦローラ、搬送ローラ）
２２      ピンチローラ
２３      ピンチローラホルダ
２４      ピンチローラばね
２６      ＬＦモータ（紙送りモータ、搬送モータ）
２９      プラテン
３０      第１排紙ローラ
３１      第２排紙ローラ
３２      第１拍車列（回転体）
３３      第２拍車列（回転体）
３６      メインテナンスユニット（吐出回復装置）
３７      メインＡＳＦ（自動給紙部）
３９      給紙ローラ
４０      分離ローラ
４１      圧板
４４      ＡＳＦフラップ
４６      ＡＳＦモータ
４７      ＡＳＦ振り子アーム
４８      ＡＳＦ太陽ギア
４９      ＡＳＦ遊星ギア
５５      ガイドシャフトばね
５６      ガイド斜面
５７      ガイド長孔
５８      リフトカム軸
５９      ピンチローラホルダ押圧カム
６０      ピンチローラばね押圧カム
６６      ＰＥセンサレバー（用紙検知レバー）
６７      ＰＥセンサ
６８      ＰＥセンサレバーばね
７０      通紙ガイド（ガイド部材）
７４      ガイドシャフトばね
３０１    制御基板
３０５    ＡＳＦセンサ
３０７    ヘッドドライバ
３０８    ホスト装置
３１０    ＣＰＵ
３１１    ＲＯＭ
３１２    ＲＡＭ
【図１】
2006193303.tif 000003
【図２】
2006193303.tif 000004
【図３】
2006193303.tif 000005
【図４】
2006193303.tif 000006
【図５】
2006193303.tif 000007
【図６】
2006193303.tif 000008
【図７】
2006193303.tif 000009
【図８】
2006193303.tif 000010
【図９】
2006193303.tif 000011
【図１０】
2006193303.tif 000012